(57)【要約】【課題】止水栓等の給排水用部材の施工、メンテナンス等が、容易にできる手洗用キャビネットを提供する。【解決手段】給排水用部材２を内蔵する箱型キャビネット本体３の上部に給排水用部材２と連結したボウル４を配設した手洗用キャビネットにおいて、奥行きよりも間口が短い、箱型キャビネット本体３の側板６の、少なくとも一方が、キャビネット本体３の内側から着脱自在に形成されているので、側板６の、少なくとも一方を取り外すことにより、前面開口５からのみならず、側面からも工具を使用して止水栓等の給排水用部材２の施工、メンテナンスを行なうことが可能となり、前面開口からのみ行なう作業の作業性の改善に寄与し得ることとなる。【選択図】        図２
2004254800.tif 000002
【特許請求の範囲】
【請求項１】
給排水用部材を内蔵する箱型キャビネット本体の上部に前記給排水用部材と連結したボウルを配設した手洗用キャビネットにおいて、前記箱型キャビネット本体の奥行きよりも間口が短い、前面開口の前記箱型キャビネット本体の側板の、少なくとも一方が、前記キャビネット本体内側から着脱自在に形成されていることを特徴とする手洗用キャビネット。
【請求項２】
前記箱型キャビネット本体が、背面板と、前面開口下端部にけこみ板とを有し、前記箱型キャビネット本体を構成する左右２枚の側板の内、いずれか１枚の側板と、前記背面板および前記けこみ板とが固着される一方、他の１枚の側板が、前記キャビネット本体内側から着脱自在に螺着されていることを特徴とする請求項１記載の手洗用キャビネット。
【請求項３】
前記箱型キャビネット本体が、前面扉を有していて、前記ボウル直下に近接配置したキャビネット天板下側面に設けた前面扉係止具と、前記前面扉の内面上方に設けたキャビネット係止受具とを係止せしめる一方、前記前面扉の内面下方に設けたバネ圧着用部材に、前記けこみ板上端部に設けたバネを圧着して、前記前面扉を前記けこみ板に連結したことを特徴とする請求項１または請求項２記載の手洗用キャビネット。
【発明の詳細な説明】
【０００１】
【発明の属する技術分野】
本発明は、止水栓等の給排水用部材の施工、メンテナンス等が、容易にできる洗面化粧台に関するものである。
【０００２】
【従来の技術】
従来、洗面化粧台は一家に一台というのが当然と考えられてきたが、洗面化粧室以外の場所にも手洗い器を設置したいという消費者のニーズが高まっており、特に、玄関、廊下、寝室等への二台目洗面化粧台の設置に対するニーズが高い。
【０００３】
一方、このような二台目洗面化粧台は、一台目のものほどの大きさを必要とせず、手洗いや洗願ができる程度の大きさがあれば充分と考えられる場合も多い。このような場合、手洗い器が小さくなれば、必然的に手洗い器下のキャビネットも小さくなり、特に、キャビネット本体の奥行きよりも間口が短い場合には、前面から工具を使用して止水栓等の給排水用部材の施工、メンテナンスを行なうことは、作業性が著しく悪いという問題が無視できなくなってくる。
【０００４】
一方、本願出願人においては、既に特開昭５４−４６５７号公報において、枠体に天板を保持せしめ、枠体の前面側に収納室を形成し、該枠体の側面側の収納室背部の部分を開放し、該収納室の背部に排水管、給水管の接続空間を設け、該枠体の側面に前記接続空間をも被覆する側板を着脱自在に具備せしめて成る洗面台を開示し、側面からの給排水用部材の施工時の作業性改善を図っている。しかも、このものは、箱型キャビネット本体の奥行きよりも間口が広い大型の洗面台である。
【０００５】
これに対して、今回問題になっているキャビネット本体の奥行きよりも間口が短い小型の洗面化粧台の場合には、前面から工具を使用して止水栓等の給排水用部材の施工、メンテナンスを行なう際の作業性改善が課題となっており、上記とは異なる観点からの方策が必要とされる。
【０００６】
【特許文献１】
特開昭５４−４６５７号公報  （第１頁  ［特許請求の範囲］、第１頁左下欄１６行〜右下欄１行、  第２頁左上欄２０行〜左下欄３行  ）
【０００７】
【発明が解決しようとする課題】
本発明は、かかる事由に鑑み、なされたもので、本発明の目的は、止水栓等の給排水用部材の施工、メンテナンス等が、容易にできる手洗用キャビネットを提供することにある。
【０００８】
【課題を解決するための手段】
上記課題を解決するために、請求項１に係る手洗用キャビネットの発明にあっては、給排水用部材を内蔵する箱型キャビネット本体の上部に前記給排水用部材と連結したボウルを配設した手洗用キャビネットにおいて、前記箱型キャビネット本体の奥行きよりも間口が短い、前面開口の前記箱型キャビネット本体の側板の、少なくとも一方が、前記キャビネット本体内側から着脱自在に形成されていることを特徴とするものである。
【０００９】
請求項２に係る手洗用キャビネットの発明にあっては、請求項１記載の手洗用キャビネットにおいて、前記箱型キャビネット本体が、背面板と、前面開口下端部にけこみ板とを有し、前記箱型キャビネット本体を構成する左右２枚の側板の内、いずれか１枚の側板と、前記背面板および前記けこみ板とが固着される一方、他の１枚の側板が、前記キャビネット本体内側から着脱自在に螺着されていることを特徴とするものである。
【００１０】
請求項３に係る手洗用キャビネットの発明にあっては、請求項１または請求項２記載の手洗用キャビネットにおいて、前記箱型キャビネット本体が、前面扉を有していて、前記ボウル直下に近接配置したキャビネット天板下側面に設けた前面扉係止具と、前記前面扉の内面上方に設けたキャビネット係止受具とを係止せしめる一方、前記前面扉の内面下方に設けたバネ圧着用部材に、前記けこみ板上端部に設けたバネを圧着して、前記前面扉を前記けこみ板に連結したことを特徴とするものである。
【００１１】
【発明の実施の形態】
以下、本発明の実施形態を図面に基づき説明する。
【００１２】
［第１の実施形態］
図１、図２により本発明の第１の実施形態について説明する。すなわち、本実施形態の手洗用キャビネット１は、給排水用部材２を内蔵する箱型キャビネット本体３の上部に給排水用部材２と連結したボウル４を配設するものである。また、箱型キャビネット本体３は、その奥行き（Ｄ）よりも間口（Ｌ）が短かく、前面に開口５を有しており、この箱型キャビネット本体３の側板６の、少なくとも一方が、キャビネット本体３の内側から着脱自在に形成されているものである。
【００１３】
さらに、具体的には、箱型キャビネット本体３が、背面板７ａ、７ｂと、前面開口５の下端部にけこみ板８を有し、箱型キャビネット本体３を構成する左右２枚の側板６ａ、６ｂの内、いずれか１枚の側板６と、背面板７およびけこみ板８とが固着される一方、他の１枚の側板６が、キャビネット本体３の内側から着脱自在にユリアネジ９で螺着されている。
【００１４】
この結果、キャビネット本体３の内側から着脱自在に形成されている前面開口５の前記箱型キャビネット本体３の側板６の、少なくとも一方を取り外すことにより、前面開口５からのみならず、側面からも工具を使用して止水栓等の給排水用部材２の施工、メンテナンスを行なうことが可能となり、前面開口からのみ行なう作業の作業性の改善に寄与し得ることとなる。
【００１５】
さらに、本実施形態では、箱型キャビネット本体３が、天板１３と、背面板７ａ、７ｂと、前面開口５の下端部にけこみ板８を有し、箱型キャビネット本体３を構成する左右２枚の側板６ａ、６ｂの内、側板６ｂと天板１３、背面板７ａ、７ｂおよびけこみ板８とが、ダボ１０ａ〜１０ｈとダボ穴１１ａ〜１１ｆおよびダボ穴１１ｇ、１１ｈ（図示せず）とを嵌合した後、接着剤で固着でき、また、背面板７ａが、天板１３を支えるように配置されており、工具を使用して止水栓等の給排水用部材２の施工、メンテナンスを行なう際に、箱型キャビネット本体３の側板６ａを取り外しても、手洗用キャビネット１全体の荷重を保持でき、また、側板６ａが、天板１３、背面板７ａ、７ｂおよびけこみ板８と、ダボ１０ｉ〜１０ｐとダボ穴１１ｉ〜１１ｐ（図示せず）とを接着剤を使用することなく、嵌合せしめ、キャビネット本体３の内側から着脱自在にユリアネジ９でＬ字金具１２を使用して、螺着されているので、工具等を使用することなく、手動で、側板６ａの着脱が簡便にできることとなる。
【００１６】
一方、ユリアネジ９による側板６ａの固定は、ユリアネジ９の緩み等によって、手洗用キャビネット１全体の剛性を失わないようにＬ字金具１２の屈曲を鋭角（約８５度）とすることにより、Ｌ字金具１２のバネ性を利用してこれを防止し得る。さらに、本実施形態では、設置場所の状況に応じて、左右２枚の側板６ａ、６ｂの内、いずれか１枚の側板６を着脱自在とでき、設置の自由度が大きい。
【００１７】
［第２の実施形態］
図３により本発明の第２の実施形態について説明する。すなわち、本実施形態の手洗用キャビネット１ａにおいても、給排水用部材２を内蔵する箱型キャビネット本体３の上部に給排水用部材２と連結したボウル４を配設するものである。また、箱型キャビネット本体３は、その奥行き（Ｄ）よりも間口（Ｌ）が短かく、前面に開口５を有しており、この箱型キャビネット本体３の側板６の、少なくとも一方が、キャビネット本体３の内側から着脱自在に形成されているものである。
【００１８】
さらに、本実施形態の手洗用キャビネット１ａにおいては、箱型キャビネット本体３が、前面扉１４を有していて、前記ボウル４の直下に近接配置したキャビネット天板１３の下側面に設けた前面扉係止具１５と、前面扉１４の内面上方に設けたキャビネット係止受具１６とを係止せしめる一方、前面扉１４の内面下方に設けたバネ圧着用部材１７に、前記けこみ板上端部に設けたバネ１８を圧着して、前面扉１４をけこみ板８に連結するものである。
【００１９】
一般に、ボウル４には、陶器が、使用されることが多く、陶器は、製造上の寸法公差が大きいことを考慮すると、ボウル４と前面扉１４との間の間隔を大きくとらないとボウル４の製造上の寸法バラツキによっては、前面扉１４の取りつけに支障をきたし、前面扉１４が、閉まらない（或いは、所定の位置に収まらない）、または、逆に、ボウル４と前面扉１４との間に隙間が生じる等の不具合が発生し得る。この場合において、本実施形態によれば、製造上の寸法公差が大きい陶器製のボウル４を用いる際、かかるボウルの上記寸法公差に起因するボウル４と前面扉１４の隙間における寸法誤差をバネ１８の圧着により吸収でき、美観を確保し得ることとなる。
【００２０】
なお、本発明に係る手洗用キャビネットは、上記の実施形態にのみ限定されるものではなく、本発明の要旨を逸脱しない範囲内において種々変更を加え得ることは勿論である。例えば、図４（ａ）〜（ｃ）の手洗用キャビネットは、本発明と共通する構成を有するものであり、給排水用部材２を内蔵するキャビネット本体３ａの上部に給排水用部材２と連結したボウル４を配設した前面開口５を有する手洗用キャビネットであって、前記キャビネット本体３ａが、天板１３と、背面板７と、前面開口５の下端部にけこみ板８と、前面扉１４ａを有していて、前記前面扉１４ａの内面下方に設けたけこみ板挟持用部材２２に、前記けこみ板８上端部を挟持する一方、前記ボウル４直下に近接配置したキャビネット天板１３の下側面に固着した縦桟１９にとりつけた第一の磁石２０と、前記前面扉１４ａの内面上方に設けた第二の磁石２１とを吸着せしめることを特徴とするものであるが、この前面扉１４ａの取りつけ方法は、本願発明の上記と異なる実施形態にも応用可能である。
【００２１】
【発明の効果】
以上のように、請求項１に係る手洗用キャビネットの発明にあっては、給排水用部材を内蔵する箱型キャビネット本体の上部に前記給排水用部材と連結したボウルを配設した手洗用キャビネットにおいて、前記箱型キャビネット本体の奥行きよりも間口が短い、前面開口の前記箱型キャビネット本体の側板の、少なくとも一方が、キャビネット本体内側から着脱自在に形成されていることを特徴とするので、キャビネット本体内側から着脱自在に形成されている前面開口の前記箱型キャビネット本体の側板の、少なくとも一方を取り外すことにより、前面開口からのみならず、側面からも工具を使用して止水栓等の給排水用部材の施工、メンテナンスを行なうことが可能となり、前面開口からのみ行なう作業の作業性の改善に寄与し得るという優れた効果を奏する。
【００２２】
請求項２に係る手洗用キャビネットの発明にあっては、請求項１記載の手洗用キャビネットにおいて、前記箱型キャビネット本体が、背面板と、前面開口下端部にけこみ板とを有し、前記箱型キャビネット本体を構成する左右２枚の側板の内、いずれか１枚の側板と、前記背面板および前記けこみ板とが固着される一方、他の１枚の側板が、前記キャビネット本体内側から着脱自在に螺着されていることを特徴とするので、請求項１記載の発明の効果に加えて、工具を使用して止水栓等の給排水用部材の施工、メンテナンスを行なう際に、箱型キャビネット本体の側板を取り外しても、手洗用キャビネット全体の荷重を保持し得るという優れた効果を奏する。
【００２３】
請求項３に係る手洗用キャビネットの発明にあっては、請求項１または請求項２記載の手洗用キャビネットにおいて、前記箱型キャビネット本体が、前面扉を有していて、前記ボウル直下に近接配置したキャビネット天板下側面に設けた前面扉係止具と、前記前面扉の内面上方に設けたキャビネット係止受具とを係止せしめる一方、前記前面扉の内面下方に設けたバネ圧着用部材に、前記けこみ板上端部に設けたバネを圧着して、前記前面扉を前記けこみ板に連結したことを特徴とするので、請求項１または請求項２記載の発明の効果に加えて、製造上の寸法公差が大きい陶器製のボウルを用いる際、かかるボウルの上記寸法公差に起因するボウルと扉の隙間を吸収し得るという優れた効果を奏する。
【図面の簡単な説明】
【図１】本発明の第１の実施形態における手洗用キャビネットの構成の概略を示す斜視図である。
【図２】本発明の第１の実施形態における手洗用キャビネットの構成の要部の概略を示す分解斜視図である。
【図３】本発明の第２の実施形態における手洗用キャビネットの構成の概略を示すもので、（ａ）は、（ｂ）の直線Ｘ−Ｙを含む水平面における断面図、（ｂ）は、正面図、（ｃ）は、側面図である。
【図４】本発明と共通する構成を有する手洗用キャビネットの構成の概略を示すもので、（ａ）は、上面図、（ｂ）は、正面図、（ｃ）は、側面図である。
【符号の説明】
１      手洗用キャビネット
１ａ    手洗用キャビネット
２      給排水用部材
３      箱型キャビネット本体
３ａ    キャビネット本体
４      ボウル
５      開口
６      側板
６ａ    側板
６ｂ    側板
７      背面板
７ａ    背面板
７ｂ    背面板
８      けこみ板
９      ユリアネジ
１０      ダボ
１１      ダボ穴
１２      Ｌ字金具
１３      天板
１４      前面扉
１４ａ    前面扉
１５      前面扉係止具
１６      キャビネット係止受具
１７      バネ圧着用部材
１８      バネ
１９      縦桟
２０      第一の磁石
２１      第二の磁石
２２      けこみ板挟持用部材
【図１】
2004254800.tif 000003
【図２】
2004254800.tif 000004
【図３】
2004254800.tif 000005
【図４】
2004254800.tif 000006